(57)【要約】  天板部と、該天板部の第１の側方縁部から突出し、かつ、一端の突出高さが他端の突出高さより大きい第１の側板部と、該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを備える保護カバー、および該保護カバーを備える除草機。
2014010269.tif 000002
【特許請求の範囲】
【請求項１】
天板部と、
該天板部の第１の側方縁部から突出し、かつ、一端の突出高さが他端の突出高さより大きい第１の側板部と、
該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、
前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを備える
保護カバー。
【請求項２】
前記前面板部は、前記凹凸部が前記天板部の前縁部と対向する後側に向けて、かつ、同後側とは反対側に向けて揺動可能に前記前縁部に取付けられた
請求項１に記載の保護カバー。
【請求項３】
前記第１の側板部の一端および前記第２の側板部の同第１の側板部の一端に対応する位置の端部にはそれぞれ、同第１の側板部の他端とは反対方向および同第２の側板部の同第１の側板部の他端に対応する位置の端部とは反対方向に湾曲した第１の湾曲部が形成され、
前記第１の側板部の一端および前記第２の側板部の同第１の側板部の一端に対応する位置の端部にはそれぞれ、同第１の側板部の一端の突出方向および同第２の側板部の同第１の側板部の一端に対応する位置の端部の突出方向に湾曲し、かつ、前記第１の湾曲部と連続した第２の湾曲部が形成された
請求項１に記載の保護カバー。
【請求項４】
前記天板部の前縁部と対向する後側から、前記第１の側板部の突出方向および前記第２の側板部の突出方向とは斜め反対方向に突出した突出片部と、
該突出片部にスライド可能に取付けられたスライド板部とを備える
請求項１に記載の保護カバー。
【請求項５】
前記スライド板部は、前記突出片部に沿って取付けられた第１の領域と、該第１の領域の前記突出片部と接する側との間の角度を鋭角にして、同第１の領域の、前記後側に向いた側とは反対側から延出した第２の領域とを有する
請求項４に記載の保護カバー。
【請求項６】
天板部と、該天板部の第１の側方縁部から突出し、かつ、一端の突出高さが他端の突出高さより大きい第１の側板部と、該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを有する保護カバーと、
駆動源の動力を伝える伝動軸を有する操作桿と、
該操作桿に取付けられ、かつ、前記天板部と、前記第１の側板部と、前記第２の側板部と、前記前面板部とで形成された空間に配置可能であり、さらに前記伝動軸が伝える動力で回転可能であり、刃部を有する回転体とを備える
除草機。
【発明の詳細な説明】
【技術分野】
【０００１】
本発明は保護カバーおよび除草機に関する。詳しくは、例えば除草機に取付けられる保護カバーおよび保護カバーが取付けられた除草機に係るものである。
【背景技術】
【０００２】
農地に生えた望ましくない草を除去する方法はいくつかある。
例えば、狭い範囲であれば、人が鎌などを使って刈る方法や、広い範囲であれば、人が機械を使って刈る方法がある。【０００３】
その他にも、除草剤を草に散布し、すべての草または対象とした草だけを枯死させる方法もある。しかし、除草剤が土壌に残留して環境を汚染したり、地下水に溶け込み汚染したりすることもある。【０００４】
こうした中、様々な除草機が提案されている。例えば特許文献１には、図８に示すような除草機が記載されている。
すなわち、特許文献１に記載された除草機１００は、接地板１０１と、接地板１０１の後方に位置する回転撹拌体１０２と、回転撹拌体１０２の後方に位置する回転埋没体１０７とを備える。【０００５】
また、接地板１０１と、回転撹拌体１０２と、回転埋没体１０７とは、外枠１０６に取付けられている。また、外枠１０６には、柄１０５が取付けられている。また、回転埋没体１０７の外周には埋没刃１０３が設けられている。【０００６】
また、柄１０５を押して除草機１００を前進させると、回転撹拌体１０２は回転して水田土壌を水と一緒に柔らかく砕く。同時に回転する回転埋没体１０７の外周の埋没刃１０３によって、草を土中に埋没させる。
【先行技術文献】
【特許文献】
【０００７】
【特許文献１】特開平８−１４０４０８号公報
【発明の概要】
【発明が解決しようとする課題】
【０００８】
しかしながら、特許文献１に記載された除草機は、回転撹拌体や回転埋没体が土壌から受ける反発力が必ずしも一定ではないので、除草機全体が振り回されて除草作業に支障をきたすおそれがあった。【０００９】
本発明は、以上の点に鑑みて創案されたものであり、除草機に取付けられて除草作業中の除草機の動きを円滑にすることができる保護カバー、および除草作業中の動きが円滑である除草機を提供することを目的とする。
【課題を解決するための手段】
【００１０】
上記の目的を達成するために、本発明の保護カバーは、天板部と、該天板部の第１の側方縁部から突出し、かつ、一端の突出高さが他端の突出高さより大きい第１の側板部と、該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを備える。【００１１】
ここで、天板部の第１の側方縁部から突出した第１の側板部、および第１の側方縁部と対向する第２の側方縁部から突出した第２の側板部によって、土壌へ食い込ませることができる。【００１２】
また、第１の側板部の一端の突出高さが他端の突出高さより大きいこと、および第１の側板部の一端に対応する位置の第２の側板部の端部の突出高さが、第１の側板部の他端に対応する位置の第２の側板部の端部の突出高さより大きいことによって、第１の側板部の一端および第１の側板部の一端に対応する位置の第２の側板部の端部を、より深く土壌へ食い込ませることができる。【００１３】
また、第１の側板部の一端から第１の側板部の一端に対応する位置の第２の側板部の端部にまで及ぶ天板部の縁部である前縁部に取付けられた前面板部によって、除草機の回転体が飛ばす土片の外部への飛散を抑制できる。【００１４】
また、前面板部の、前縁部に取付けられた側とは反対側に形成された凹凸部によって、土壌から受ける反発力を抑えることができる。【００１５】
また、本発明の保護カバーにおいて、前面板部は、凹凸部が天板部の前縁部と対向する後側に向けて、かつ、後側とは反対側に向けて揺動可能に前縁部に取付けられたものとすることができる。【００１６】
この場合、土壌から受ける反発力を揺動（スイング）によって受け流すことができる。【００１７】
また、本発明の保護カバーにおいて、第１の側板部の一端および第２の側板部の第１の側板部の一端に対応する位置の端部にはそれぞれ、第１の側板部の他端とは反対方向および第２の側板部の第１の側板部の他端に対応する位置の端部とは反対方向に湾曲した第１の湾曲部が形成され、第１の側板部の一端および第２の側板部の第１の側板部の一端に対応する位置の端部にはそれぞれ、第１の側板部の一端の突出方向および第２の側板部の第１の側板部の一端に対応する位置の端部の突出方向に湾曲し、かつ、第１の湾曲部と連続した第２の湾曲部が形成されたものとすることができる。【００１８】
この場合、第１の側板部の一端および第２の側板部の第１の側板部の一端に対応する位置の端部が土壌へ食い込むときの抵抗を湾曲部が低減するので、さらに土壌へ食い込ませやすくすることができる。
また、第１の側板部の一端および第２の側板部の第１の側板部の一端に対応する位置の端部が土壌中を移動するときの抵抗も湾曲部が低減するので、除草機の推進を助けることができる。【００１９】
また、本発明の保護カバーは、天板部の前縁部と対向する後側から、第１の側板部の突出方向および第２の側板部の突出方向とは斜め反対方向に突出した突出片部と、突出片部にスライド可能に取付けられたスライド板部とを備えるものとすることができる。【００２０】
この場合、スライド板部をスライドさせて、第１の側板部の突出方向および第２の側板部の突出方向とは斜め反対方向における長さを調節できる。【００２１】
また、本発明の保護カバーにおいて、スライド板部は、突出片部に沿って取付けられた第１の領域と、第１の領域の突出片部と接する側との間の角度を鋭角にして、第１の領域の、後側に向いた側とは反対側から延出した第２の領域とを有するものとすることができる。【００２２】
この場合、第１の領域の突出片部と接する側との間の角度を鋭角にして第２の領域が第１の領域から延出しているので、突出片部に沿ってスライドする領域を第１の領域に制限することができる。【００２３】
また、上記の目的を達成するために、本発明の除草機は、天板部と、該天板部の第１の側方縁部から突出し、かつ、一端の突出高さが他端の突出高さより大きい第１の側板部と、該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを有する保護カバーと、駆動源の動力を伝える伝動軸を有する操作桿と、該操作桿に取付けられ、かつ、前記天板部と、前記第１の側板部と、前記第２の側板部と、前記前面板部とで形成された空間に配置可能であり、さらに前記伝動軸が伝える動力で回転可能であり、刃部を有する回転体とを備える。【００２４】
ここで、天板部の第１の側方縁部から突出した第１の側板部、および第１の側方縁部と対向する第２の側方縁部から突出した第２の側板部によって、土壌へ食い込ませることができる。【００２５】
また、第１の側板部の一端の突出高さが他端の突出高さより大きいこと、および第１の側板部の一端に対応する位置の第２の側板部の端部の突出高さが、第１の側板部の他端に対応する位置の第２の側板部の端部の突出高さより大きいことによって、第１の側板部の一端および第１の側板部の一端に対応する位置の第２の側板部の端部を、より深く土壌へ食い込ませることができる。【００２６】
また、第１の側板部の一端から第１の側板部の一端に対応する位置の第２の側板部の端部にまで及ぶ天板部の縁部である前縁部に取付けられた前面板部によって、除草機の回転体が飛ばす土片の外部への飛散を抑制できる。【００２７】
また、前面板部の、前縁部に取付けられた側とは反対側に形成された凹凸部によって、土壌から受ける反発力を抑えることができる。【００２８】
また、駆動源の動力を伝える伝動軸を有する操作桿によって、除草作業者は操作桿を把持して除草作業を行なうことができる。【００２９】
また、伝動軸が伝える動力で回転可能であり、刃部を有する回転体によって、整地を行なうことができ、かつ、除草すなわち草を刈ることができる。
【発明の効果】
【００３０】
本発明に係る保護カバーは、除草機に取付けられて除草作業中の除草機の動きを円滑にすることができる。
本発明に係る除草機は、除草作業中の動きが円滑である。
【図面の簡単な説明】
【００３１】
【図１】本発明を適用した保護カバーの第１の実施態様を示す概略上方斜視図である。
【図２】本発明を適用した保護カバーの第１の実施態様を示す概略下方斜視図である。
【図３】本発明を適用した保護カバーの第２の実施態様を示す概略側面図（ａ）と、本発明を適用した保護カバーの第２の実施態様の概略正面図（ｂ）と、本発明を適用した保護カバーの第２の実施態様の概略背面図（ｃ）である。
【図４】図１に示す保護カバーを備えた、本発明を適用した除草機の一例を示す概略図である。
【図５】図４に示す本発明を適用した除草機の概略部分拡大図である。
【図６】図４に示す本発明を適用した除草機の概略部分断面図である。
【図７】図１に示す保護カバーが伸びた状態の本発明を適用した除草機の概略部分拡大図である。
【図８】従来の除草機を示す概略図である。
【発明を実施するための形態】
【００３２】
以下、本発明の実施の形態について図面を参照しながら説明し、本発明の理解に供する。
図１は、本発明を適用した保護カバーの第１の実施態様を示す概略上方斜視図である。また、図２は、本発明を適用した保護カバーの第１の実施態様を示す概略下方斜視図である。
【００３３】
図１に示す本発明の保護カバー１は、開口部２Ａが形成された天板部２を備える。
【００３４】
また、本発明の保護カバー１は、第１の側板部３を備える。
また、第１の側板部３は、天板部２の第１の側方縁部から突出している。さらに、第１の側板部３の一端３Ａの突出高さは、第１の側板部３の他端３Ｂの突出高さより大きい。
【００３５】
また、本発明の保護カバー１は、第２の側板部４を備える。
また、第２の側板部４は、第１の側板部３が突出した第１の側方縁部と対向する第２の側方縁部から、第１の側板部３と同じ方向に突出している。
さらに、第１の側板部３の一端３Ａに対応する位置の端部（すなわち、第２の側板部４の一端４Ａ）の突出高さが、第１の側板部３の他端３Ｂに対応する位置の端部（すなわち、第２の側板部４の他端４Ｂ）の突出高さより大きい。
【００３６】
また、本発明の保護カバー１は、前面板部５を備える。
また、前面板部５は、第１の側板部３の一端３Ａから第２の側板部４の一端４Ａにまで及ぶ天板部２の縁部である前縁部２Ｂにヒンジ部６を介して取付けられている。
【００３７】
また、前面板部５は、第１の側板部３および第２の側板部４の突出方向と同じ方向に突出して前縁部２Ｂに取付けられている。
また、前面板部５の、前縁部２Ｂに取付けられた側とは反対側に凸部５Ａと凹部５Ｂが形成されている。
【００３８】
また、前面板部５は、天板部２の前縁部２Ｂにヒンジ部６を介して取付けられているので、凸部５Ａと凹部５Ｂが前縁部２Ｂと対向する後側２Ｃに向けて、かつ、後側２Ｃとは反対側に向けて揺動（スイング）できる。
【００３９】
また、第１の側板部３の一端３Ａおよび第２の側板部４の一端４Ａにはそれぞれ、第１の側板部３の他端３Ｂとは反対方向および第２の側板部４の他端４Ｂとは反対方向に湾曲した第１の湾曲部２６が形成されている。
【００４０】
また、第１の側板部３の一端３Ａおよび第２の側板部４の一端４Ａにはそれぞれ、第１の側板部３の一端３Ａの突出方向および第２の側板部４の一端４Ａの突出方向に湾曲した第２の湾曲部２７が形成されている。
【００４１】
また、第１の湾曲部２６と第２の湾曲部２７とは連続している。
【００４２】
また、本発明の保護カバー１は、突出片部７を備える。突出片部７は、天板部２の前縁部２Ｂと対向する後側２Ｃから、第１の側板部３の突出方向および第２の側板部４の突出方向とは斜め反対方向に突出している。
【００４３】
また、本発明の保護カバー１は、突出片部７にスライド可能に取付けられたスライド板部８を備える。
【００４４】
また、スライド板部８は、突出片部７に沿って取付けられた第１の領域８Ａを有する。また、スライド板部８は、第２の領域８Ｂを有する。第２の領域８Ｂは、第１の領域８Ａの突出片部７と接する側との間の角度を鋭角にして、第１の領域８Ａの、後側２Ｃに向いた側とは反対側から延出している。
【００４５】
また、突出片部７には、一対の貫通孔７Ａが形成されている。
また、突出片部７のスライド板部８と接する側とは反対側に一対の六角ナット１０が固着されている。
また、六角ナット１０は、内側にネジ溝が形成されている。
【００４６】
また、六角ナット１０は、貫通孔７Ａの内径と略同じ内径を有する。
また、六角ナット１０は、貫通孔７Ａの中心と同心状に配置されている。
【００４７】
また、スライド板部８の第１の領域８Ａの、一対の貫通孔７Ａと対応する位置に一対の第１の貫通長穴８Ｃが形成されている。
また、外側表面にネジ山が形成された止めボルト９が第１の貫通長穴８Ｃと貫通孔７Ａに挿通され、さらに、貫通孔７Ａの中心と同心状に配置された六角ナット１０に挿通されている。
【００４８】
そして、止めボルト９のネジ山と六角ナット１０のネジ溝とが係合し、突出片部７とスライド板部８の第１の領域８Ａとが止めボルト９で締め付けられ、固定される。
【００４９】
また、スライド板部８の第２の領域８Ｂには、一対の第２の貫通長穴８Ｄが形成されている。
【００５０】
また、略中央部がアーチ状に形成され、かつ、両側部にボルト穴１１Ａが形成された取付け部材１１が、スライド板部８の第２の領域８Ｂに取付けられている。
また、ボルト穴１１Ａの位置は第２の貫通長穴８Ｄの位置と対応している。
【００５１】
また、取付け部材１１は、次のようにしてスライド板部８の第２の領域８Ｂに取付けられている。
すなわち、ボルト穴１１Ａと第２の貫通長穴８Ｄに、ネジ山が形成された締め付けボルト１２が挿通されている。
【００５２】
また、図２に示すように、第２の領域８Ｂの取付け部材１１が取付けられた側とは反対側に、板状ナット１３が一対の第２の貫通長穴８Ｄの両方に亘って配置されている。
【００５３】
また、板状ナット１３の、一対の第２の貫通長穴８Ｄと対応する位置に一対の貫通孔１３Ａが形成されている。
また、貫通孔１３Ａ内にはネジ溝が形成されている。
【００５４】
そして、締め付けボルト１２が板状ナット１３の貫通孔１３Ａに挿通され、締め付けボルト１２のネジ山と貫通孔１３Ａのネジ溝とが係合し、取付け部材１１はスライド板部８の第２の領域８Ｂに取付けられる。
【００５５】
また、取付け部材１１の略中央部がアーチ状に形成されているので、スライド板部８の第２の領域８Ｂとの間に空間を形成できる。この空間に、除草機の操作桿が挿通され、本発明の保護カバー１を除草機に取付けることができる。
【００５６】
ここで、必ずしも第１の側板部の一端および第２の側板部の一端にはそれぞれ、第１の湾曲部および第２の湾曲部が形成されていなくてもよい。
しかし、第１の湾曲部や第２の湾曲部が形成されていれば、第１の側板部の一端および第２の側板部の一端が土壌へ食い込むときの抵抗を湾曲部が低減するので、さらに土壌へ食い込ませやすくすることができ、好ましい。
【００５７】
図３は、本発明を適用した保護カバーの第２の実施態様を示す概略側面図（ａ）と、本発明を適用した保護カバーの第２の実施態様の概略正面図（ｂ）と、本発明を適用した保護カバーの第２の実施態様の概略背面図（ｃ）である。
【００５８】
図３（ａ）、図３（ｂ）および図３（ｃ）に示す本発明の保護カバー３１は、開口部（図示せず。）が形成された天板部３２を備える。
【００５９】
また、本発明の保護カバー３１は、第１の側板部３３を備える。
また、第１の側板部３３は、天板部３２の第１の側方縁部から突出している。さらに、第１の側板部３３の一端３３Ａの突出高さは、第１の側板部３３の他端３３Ｂの突出高さより大きい。
【００６０】
また、本発明の保護カバー３１は、第２の側板部３４を備える。
また、第２の側板部３４は、第１の側板部３３が突出した第１の側方縁部と対向する第２の側方縁部から、第１の側板部３３と同じ方向に突出している。
さらに、第１の側板部３３の一端３３Ａに対応する位置の端部（すなわち、第２の側板部３４の一端３４Ａ）の突出高さが、第１の側板部３３の他端３３Ｂに対応する位置の端部（すなわち、第２の側板部３４の他端３４Ｂ）の突出高さより大きい。
【００６１】
また、本発明の保護カバー３１は、前面板部３５を備える。
また、前面板部３５は、第１の側板部３３の一端３３Ａから第２の側板部３４の一端３４Ａにまで及ぶ天板部２の縁部である前縁部３２Ｂと、第１の側板部３３の一端３３Ａと、第２の側板部３４の一端３４Ａとに取付けられている。
【００６２】
また、前面板部３５は、第１の側板部３３および第２の側板部３４の突出方向と同じ方向に突出して前縁部３２Ｂに取付けられている。
また、前面板部３５の、前縁部２Ｂに取付けられた側とは反対側に凸部３５Ａと凹部３５Ｂが形成されている。
【００６３】
また、第１の側板部３３の一端３３Ａおよび第２の側板部３４の一端３４Ａにはそれぞれ、第１の側板部３３の他端３３Ｂとは反対方向および第２の側板部３４の他端３４Ｂとは反対方向に湾曲した第１の湾曲部３６が形成されている。
【００６４】
また、第１の側板部３３の一端３３Ａおよび第２の側板部３４の一端３４Ａにはそれぞれ、第１の側板部３３の一端３３Ａの突出方向および第２の側板部３４の一端３４Ａの突出方向に湾曲した第２の湾曲部３７が形成されている。
【００６５】
また、第１の湾曲部３６と第２の湾曲部２７とは連続している。
【００６６】
図４は、図１に示す保護カバーを備えた、本発明を適用した除草機の一例を示す概略図である。
また、図５は、図４に示す本発明を適用した除草機の概略部分拡大図である。また、図６は、図４に示す本発明を適用した除草機の概略部分断面図である。
【００６７】
図４に示す本発明の除草機１４は、エンジン（駆動源の一例である。）１５を備える。ここで、エンジン１５は、除草作業者の肩に掛けることができる構成となっている。
また、本発明の除草機１４は、他の駆動源として、電動モータを備えることもできる。
【００６８】
また、本発明の除草機１４は、一端がエンジン１５に連結された操作桿１６を備える。
また、操作桿１６の内部の空間を通って伝動軸２１が延びている。また、伝動軸２１の一端は、エンジン１５の動力を伝動可能にエンジン１５に連結されている。
【００６９】
また、本発明の除草機１４は、操作桿１６の他端に連結された駆動ボックス１６Ａを備える。
また、図６に示すように、操作桿１６の内部の空間と駆動ボックス１６Ａの内部の空間とは連通している。
【００７０】
また、伝動軸２１の他端には、第１の傘歯車２２が設けられている。
また、駆動ボックス１６Ａの内部の空間には、駆動軸２３が配置されている。また、駆動軸２３の上端には、第２の傘歯車２４が設けられている。
【００７１】
また、第１の傘歯車２２と第２の傘歯車２４とが互いに噛み合っている。従って、伝動軸２１に伝えられたエンジン１５の動力が、第１の傘歯車２２と第２の傘歯車２４とを介して駆動軸２３に伝えられる。
【００７２】
また、本発明の除草機１４は、取付け部材１１を用いて操作桿１６に取付けられた、図１に示す本発明の保護カバー１を備える。
すなわち、本発明の保護カバー１が有するスライド板部８の第２の領域８Ｂと、取付け部材１１のアーチ形状の略中央部との間に形成された空間に操作桿１６が挿通されている。
【００７３】
また、駆動ボックス１６Ａの下部は、本発明の保護カバー１が有する天板部２に形成された開口部２Ａに挿通されている。
また、駆動ボックス１６Ａの下部は開放されている。
【００７４】
また、本発明の除草機１４は、駆動ボックス１６Ａを介して操作桿１６の他端に取付けられた回転体１７を備える。
また、回転体１７は、保護カバー１の天板部２と、第１の側板部３と、第２の側板部４と、前面板部５とで形成された空間に配置されている。
【００７５】
ここで、回転体１７は、天板部２と、第１の側板部３と、第２の側板部４と、前面板部５とに接触しないように配置されている。
【００７６】
また、回転体１７の上面には開口部が形成されており、この開口部に取付けボルト２５が挿通され、駆動軸２３の下部に回転体１７が取付けられている。
【００７７】
また、回転体１７は、３つの刃部１８を有する。また、刃部１８の形状は台形である。
また、台形の刃部１８の上底辺と下底辺とを結ぶ一対の脚辺のうち一方の脚辺は、上底辺および下底辺に対して略直交している。
【００７８】
また、他方の脚辺は、上底辺および下底辺に対して傾斜している。
また、傾斜した脚辺は研がれている。
【００７９】
次に、回転体１７の回転機構を説明する。
エンジン１５の動力による伝動軸２１の回転は、第１の傘歯車２２と第２の傘歯車２４を介して駆動軸２３に伝えられる。
【００８０】
すると、駆動軸２３は回転し、駆動軸２３の下部に取付けられた回転体１７も回転する。
【００８１】
そして、回転体１７が回転することで、土壌１９を整地し、かつ、草２０を刈る。
【００８２】
なお、回転体が、伝動軸が伝える動力で回転可能であり、刃部を有していれば、必ずしも刃部の形状は台形でなくてもよく、例えば長方形でもよい。また、必ずしも刃部の数は３つでなくてもよく、２つであったり、４つ以上であったりしてもよい。
【００８３】
図７は、図１に示す保護カバーが伸びた状態の本発明を適用した除草機の概略部分拡大図である。
本発明の保護カバー１の全長を伸ばしたり、全長を縮めたりする場合、一対の止めボルト９の頭部が一対の六角ナット１０から離れる方向に止めボルト９を回転させる。すると、突出片部７とスライド板部８の第１の領域８Ａとの締め付けが解除される。
【００８４】
次に、スライド板部８をスライドさせる。
そして、突出片部７とスライド板部８の第１の領域８Ａとを締め付けて固定したい位置において、一対の止めボルト９の頭部が一対の六角ナット１０に近づく方向に止めボルト９を回転させる。
すると、突出片部７とスライド板部８の第１の領域８Ａとが止めボルト９で締め付けられる。
【００８５】
本発明の保護カバー１を伸ばすことで、回転体１７の回転位置よりもさらに下方に、第１の側板部３の一端３Ａ（および第２の側板部４の一端４Ａ）を位置させることができ、より深く第１の側板部３の一端３Ａ（および第２の側板部４の一端４Ａ）を土壌１９に食い込ませることができる。
【００８６】
以上のように、本発明の保護カバーは、天板部の第１の側方縁部から突出した第１の側板部、および第１の側方縁部と対向する第２の側方縁部から突出した第２の側板部を備えているので、第１の側板部および第２の側板部を土壌へ食い込ませることができる。
【００８７】
また、土壌に食い込むことで、第１の側板部と第２の側板部が土壌に拘束され、土壌から受けた反発力に基づく振り回しを抑制できる。
【００８８】
従って、本発明の保護カバーは、除草機に取付けられて除草作業中の除草機の動きを円滑にすることができる。
また、本発明の除草機は、このような保護カバーを備えているので、除草作業中の動きが円滑である。
【００８９】
また、第１の側板部および第２の側板部が土壌に食い込むことで、雑草を根元から除去しやすくなり、また、簡単な耕うんも行なうことができるので、農作物にとって好ましい。
【００９０】
また、本発明の保護カバーは、第１の側板部の一端から第１の側板部の一端に対応する位置の第２の側板部の端部にまで及ぶ天板部の縁部である前縁部に取付けられた前面板部を備えているので、除草機の回転体が飛ばす土片の外部への飛散を抑制できる。
【００９１】
また、除草機の回転体が飛ばす土片は農作物を傷めてしまう。
従って、このような前面板部がない保護カバーを取付けた除草機の方が、このような前面板部を備えた保護カバーを取付けた除草機よりも多く土片を外部へ飛ばしてしまい、農作物を傷めてしまいやすい。
【００９２】
また、本発明の保護カバーが備える前面板部の、前縁部に取付けられた側とは反対側に凹凸部が形成されているので、土壌から受ける反発力を抑えることができる。
【００９３】
また、回転体と土壌との間の距離が、土壌に食い込んだ保護カバーによって固定されるので、均一な刈高で除草を行なうことができる。
【符号の説明】
【００９４】
１    保護カバー
２    天板部
２Ａ  開口部
２Ｂ  前縁部
２Ｃ  後側
３    第１の側板部
３Ａ  第１の側板部の一端
３Ｂ  第１の側板部の他端
４    第２の側板部
４Ａ  第２の側板部の一端
４Ｂ  第２の側板部の他端
５    前面板部
５Ａ  凸部
５Ｂ  凹部
６    ヒンジ部
７    突出片部
７Ａ  貫通孔
８    スライド板部
８Ａ  第１の領域
８Ｂ  第２の領域
８Ｃ  第１の貫通長穴
８Ｄ  第２の貫通長穴
９    止めボルト
１０    六角ナット
１１    取付け部材
１１Ａ  ボルト穴
１２    締め付けボルト
１３    板状ナット
１３Ａ  貫通孔
１４    除草機
１５    エンジン
１６    操作桿
１６Ａ  駆動ボックス
１７    回転体
１８    刃部
１９    土壌
２０    草
２１    伝動軸
２２    第１の傘歯車
２３    駆動軸
２４    第２の傘歯車
２５    取付けボルト
２６    第１の湾曲部
２７    第２の湾曲部
３１    保護カバー
３２    天板部
３３    第１の側板部
３３Ａ  第１の側板部の一端
３３Ｂ  第１の側板部の他端
３４    第２の側板部
３４Ａ  第２の側板部の一端
３４Ｂ  第２の側板部の他端
３５    前面板部
３６    第１の湾曲部
３７    第２の湾曲部
【図１】
2014010269.tif 000003
【図２】
2014010269.tif 000004
【図３】
2014010269.tif 000005
【図４】
2014010269.tif 000006
【図５】
2014010269.tif 000007
【図６】
2014010269.tif 000008
【図７】
2014010269.tif 000009
【図８】
2014010269.tif 000010
【手続補正書】
【提出日】平成27年3月20日(2015.3.20)
【手続補正１】
【補正対象書類名】特許請求の範囲
【補正対象項目名】請求項１
【補正方法】変更
【補正の内容】
【請求項１】
天板部と、
該天板部の第１の側方縁部から突出し、かつ、一端の突出高さが他端の突出高さより大きい第１の側板部と、
該第１の側板部が突出した前記第１の側方縁部と対向する第２の側方縁部から、同第１の側板部と同じ方向に突出し、かつ、同第１の側板部の一端に対応する位置の端部の突出高さが、同第１の側板部の他端に対応する位置の端部の突出高さより大きい第２の側板部と、
前記第１の側板部の一端から同第１の側板部の一端に対応する位置の前記第２の側板部の端部にまで及ぶ前記天板部の縁部である前縁部に取付けられ、かつ、同前縁部に取付けられた側とは反対側に凹凸部が形成された前面板部とを備え、
除草機に取付けられる
保護カバー。
【国際調査報告】
2014010269.tif 000011
2014010269.tif 000012
2014010269.tif 000013